(57)【要約】【課題】主装置の小型化を実現できる、電話機やドアフォン用のインタフェース回路及び該インタフェース回路を備えた主装置を提供する。【解決手段】電話交換機能を有する主装置のポートに、ポートに接続された電話機またはドアフォンに対応して所要の電源電圧を供給する給電回路と、ポートに電話機が接続された場合、該電話機の入力インピーダンスの値から該電話機がオン・フック状態であるかオフ・フック状態であるかを検出し、ポートにドアフォンが接続された場合、該ドアフォンの入力インピーダンスの値から該ドアフォンが待機状態であるか起動ボタンの押下状態であるかを検出する状態検出回路とを実装する。【選択図】図１
2012147389.tif 000002
【特許請求の範囲】
【請求項１】
電話機またはドアフォンが接続可能な、電話交換機能を有する主装置のポートに対応して備えるインタフェース回路であって、
前記ポートに接続された電話機またはドアフォンに対応して所要の電源電圧を供給する給電回路と、
前記ポートに前記電話機が接続された場合、該電話機の入力インピーダンスの値から該電話機がオン・フック状態であるかオフ・フック状態であるかを検出し、前記ポートに前記ドアフォンが接続された場合、該ドアフォンの入力インピーダンスの値から該ドアフォンが待機状態であるか起動ボタンの押下状態であるかを検出する状態検出回路と、
を有するインタフェース回路。
【請求項２】
前記給電回路は、
前記主装置のポートの２つの線路にそれぞれ接続される第１の定電流回路及び第２の定電流回路と、
前記第１の定電流回路に電源電圧を供給する電圧回路と、
を有し、
前記電圧回路は、
前記第１の定電流回路に前記電源電圧を供給する第１のトランジスタと、
前記第１の定電流回路に供給する電源電圧を、前記ポートに接続された前記電話機または前記ドアフォンに応じた所要の電圧に設定するための第１のツェナーダイオード及び第２のツェナーダイオードと、
前記ポートに接続された前記電話機または前記ドアフォンに応じてオンまたはオフに設定される、前記第１の定電流回路に供給する電源電圧を切り換える第２のトランジスタ及び第３のトランジスタと、
を有する請求項１記載のインタフェース回路。
【請求項３】
前記状態検出回路は、
前記電話機のオン・フックまたはオフ・フック、もしくは前記ドアフォンの待機または起動ボタンの押下を検出し、その検出結果を出力する第３のトランジスタと、
前記ポートに接続された電話機またはドアフォンに応じて、前記電話機のオン・フックまたはオフ・フック、もしくは前記ドアフォンの待機または起動ボタンの押下を検出するための検出感度の設定に用いられる、直列に接続された複数の抵抗器と、
前記ポートに接続された電話機またはドアフォンに応じてオンまたはオフに設定される、前記電話機のオン・フックまたはオフ・フック、もしくは前記ドアフォンの待機または起動ボタンの押下を検出するための検出感度を切り換える第４のトランジスタ及び第５のトランジスタと、
を有する請求項１または２記載のインタフェース回路。
【請求項４】
キーテレフォンシステムで用いられる、電話交換機能を備えた主装置であって、
請求項１から３のいずれか１項記載のインタフェース回路を備え、電話機またはドアフォンが接続されるポートと、
前記電話機による外線通話や内線通話、または前記ドアフォンによる電話機との通話を可能にする送受話回路と、
を有する主装置。
【発明の詳細な説明】
【技術分野】
【０００１】
本発明は、キーテレフォンシステム等の主装置が備える、電話機やドアフォン用のインタフェース回路に関する。
【背景技術】
【０００２】
家庭用や中小事業者向けの電話交換システムとして、公衆電話回線や市販の電話機が接続される、電話交換機能を備えた主装置を有し、該主装置の電話交換機能によりシステム内の各電話機からの公衆電話回線を利用した外線通話やシステム内の電話機どうしによる内線通話を可能にしたキーテレフォンシステムが知られている。
【０００３】
近年のキーテレフォンシステムは、様々な外部機器の利用が可能であり、例えばドアフォン（玄関や出入口等に取り付けられるドアフォン子機）を主装置に接続することで、システム内の電話機によるドアフォンとの通話を可能にした構成もある。
【０００４】
主装置に組み込むことが可能なドアフォン用のインタフェース回路は、例えば特許文献１に記載されている。また、例えば特許文献２−４には、主装置の電話機を接続するためのポートにドアフォンの接続を可能にするアダプタが記載されている。
【先行技術文献】
【特許文献】
【０００５】
【特許文献１】特開平５−４９０６８号公報
【特許文献２】特開平４−３５４４９８号公報
【特許文献３】特開平５−３５７９号公報
【特許文献４】特開２００３−２２９９５６号公報
【発明の概要】
【発明が解決しようとする課題】
【０００６】
上述したように背景技術のキーテレフォンシステムでは、ドアフォンを組み込む場合に、主装置にドアフォン専用の接続用ポートを設けるか、あるいはドアフォンの接続を可能にするための専用ユニット（アダプタ）を用意する必要がある。
【０００７】
ここで、ドアフォン専用の接続用ポートを主装置に設ける構成は、主装置の小型化を阻害する要因となる。
【０００８】
一方、ドアフォン用に専用ユニットを用意する構成では、ドアフォン専用の接続用ポートを設ける必要がなく、ドアフォンとの接続が不要なユーザはシステムコストを低減できる。しかしながら、キーテレフォンシステムによるドアフォンの利用を希望するユーザが専用ユニットの設置場所を確保できない場合、該専用ユニットは、多くの場合、主装置に収容することになる。そのため、主装置に専用ユニットを取り付けるための空きスペースやコネクタ等を設ける必要があり、別途、専用ユニットを用意する構成でも主装置の小型化を阻害する場合がある。
【０００９】
本発明は上述したような背景技術が有する問題点を解決するためになされたものであり、主装置の小型化を実現できる、電話機やドアフォン用のインタフェース回路及び該インタフェース回路を備えた主装置を提供することを目的とする。
【課題を解決するための手段】
【００１０】
上記目的を達成するため本発明のインタフェース回路は、電話機またはドアフォンが接続可能な、電話交換機能を有する主装置のポートに対応して備えるインタフェース回路であって、
前記ポートに接続された電話機またはドアフォンに対応して所要の電源電圧を供給する給電回路と、
前記ポートに前記電話機が接続された場合、該電話機の入力インピーダンスの値から該電話機がオン・フック状態であるかオフ・フック状態であるかを検出し、前記ポートに前記ドアフォンが接続された場合、該ドアフォンの入力インピーダンスの値から該ドアフォンが待機状態であるか起動ボタンの押下状態であるかを検出する状態検出回路と、
を有する。
【００１１】
一方、本発明の主装置は、キーテレフォンシステムで用いられる、電話交換機能を備えた主装置であって、
上記インタフェース回路を備え、電話機またはドアフォンが接続されるポートと、
前記電話機による外線通話や内線通話、または前記ドアフォンによる電話機との通話を可能にする送受話回路と、
を有する。
【発明の効果】
【００１２】
本発明によれば、キーテレフォンシステム等が備える主装置を小型化できる。
【図面の簡単な説明】
【００１３】
【図１】本発明のインタフェース回路の一構成例を示す回路図である。
【発明を実施するための形態】
【００１４】
次に本発明について図面を用いて説明する。
【００１５】
本発明では同一ポートに対する電話機またはドアフォンの接続を可能にすることで主装置の小型化を実現する。
【００１６】
一般に、電話機とドアフォンとでは、電源として供給する電圧（直流電圧）が異なり、また主装置から見た入力インピーダンスが異なっている。
【００１７】
電話機には、日本の場合、通常、局用交換機と同様に−４８Ｖが供給される（電力消費を低減するために、例えば−２４Ｖの直流電圧が供給される構成もある）。また、海外では局用交換機が扱う電圧よりも低い電圧、例えば−２８Ｖの直流電圧が供給される。ドアフォンには、例えば待機時に−５Ｖの直流電圧が供給され、通話時には音声信号のダイナミックレンジを確保するためにそれよりも高い、例えば−１０Ｖの直流電圧が供給される。
【００１８】
また、電話機は、オン・フック（待機）時は入力インピーダンスが大きく、オフ・フック（通話）時には入力インピーダンスが小さくなる。一方、ドアフォンは、待機時及び通話時では入力インピーダンスが大きく、起動ボタンが押下されると、入力インピーダンスが小さくなる。
【００１９】
主装置に接続されるドアフォン（子機）は、基本的に通話状態と待機状態とを能動的に制御できず、待機時も通話時もそれぞれマイクやスピーカが動作している。通常、ドアフォンには、起動ボタンが押下されたか否かを検出するために、該起動ボタンの押下時に回線側の線路間のインピーダンスを低下させるための抵抗器等が線路間に挿入されている。そのため、起動ボタンが押下されると、入力インピーダンスが変化する（小さくなる）。
【００２０】
したがって、同一ポートに電話機及びドアフォンの接続を可能にするには、接続された電話機またはドアフォンに対応して所要の電源電圧を供給する給電回路が必要となる。また、接続された機器の入力インピーダンスの値から、電話機が接続された場合は、該電話機がオン・フック状態であるかオフ・フック状態であるかを検出し、ドアフォンが接続された場合は、該ドアフォンが待機状態であるか起動ボタンが押下された状態であるかを検出する状態検出回路が必要となる。
【００２１】
ポートにドアフォンが接続されている場合、ドアフォンが待機状態から起動ボタンの押下状態へ移行すると、上述したように入力インピーダンスが変化するため、状態検出回路として電話機とドアフォンとで共通の回路を用いてもドアフォンが待機状態であるか起動ボタンの押下状態であるかを検出できる。但し、電話機におけるオン・フック状態とオフ・フック状態の入力インピーダンスの差は大きく、ドアフォンにおける待機状態と起動ボタンの押下状態の入力インピーダンスの差は一般に小さいため、状態検出回路は、接続された機器に応じて入力インピーダンスによる状態検出の感度を変更する必要がある。
【００２２】
ポートに電話機が接続されている場合、通話時において、電話機の通話回路に一定の電流を供給するために、給電回路には定電流回路を備える必要がある。この定電流回路に供給する電源電圧を、例えばドアフォンに供給する電圧と共通にすると、上述したようにドアフォンの待機時及び通話時における入力インピーダンスが大きいため、電話機の通話状態より高い直流電圧がドアフォンに印加されることになる。上述したように、ドアフォンに供給する電源電圧（定格電圧）と電話機に供給する給電電圧とは異なるため、給電回路は、接続された機器に応じて供給電圧を変更する必要がある。
【００２３】
これらの問題を解決した給電回路及び状態検出回路を備える本実施形態のインタフェース回路の一例を図１に示す。
【００２４】
図１は、本発明のインタフェース回路の一構成例を示す回路図である。
【００２５】
図１に示すように、本実施形態のインタフェース回路は、ポートに接続された電話機またはドアフォンに対応して所要の電源電圧を供給する給電回路１０と、接続された機器の入力インピーダンスの値から、電話機が接続された場合は、該電話機がオン・フック状態であるかオフ・フック状態であるかを検出し、ドアフォンが接続された場合は、該ドアフォンが待機状態であるか起動ボタンの押下状態であるかを検出する状態検出回路２０とを有する構成である。
【００２６】
電話機またはドアフォンが接続されるポートには、電話機による外線通話や内線通話、またはドアフォンによる電話機との通話を可能にするための周知の送受話回路３０が接続される。図１に示すインタフェース回路は、例えば主装置が備える電話機用（例えばアナログ内線用）のポートに実装すればよい。
【００２７】
給電回路１０は、主装置のポートの２つの線路に接続される第１の定電流回路１１及び第２の定電流回路１２と、第１の定電流回路１１に電源電圧を供給する電圧回路１３とを備えている。第１の定電流回路１１には、電圧回路１３から電話機またはドアフォンに対応した電源電圧が供給され、第２の定電流回路１２は基準電位（ＳＧ）と接続される。
【００２８】
第１の定電流回路１１及び第２の定電流回路１２には、例えばトランジスタのベース・エミッタと並列にダイオードが接続され、該ダイオードの順方向電圧によりトランジスタのベース・エミッタ間電圧を制御することでコレクタ・エミッタ間に流れる電流を一定にする周知の定電流回路が用いられる。
【００２９】
電圧回路１３は、第１の定電流回路１１に電源電圧Ｖｏｕｔを供給するトランジスタＴＲ１と、第１の定電流回路１１に供給する電源電圧Ｖｏｕｔを、ポートに接続された電話機またはドアフォンに応じた所要の電圧に設定するためのツェナーダイオードＺＤ１及びＺＤ２と、ポートに接続された電話機またはドアフォンに応じて第１の定電流回路１１に供給する電源電圧Ｖｏｕｔを切り換えるためのトランジスタＴＲ２及びＴＲ３とを備えている。
【００３０】
このような構成において、ポートに電話機が接続された場合、トランジスタＴＲ２及びトランジスタＴＲ３はそれぞれＯＦＦに設定される。このとき、トランジスタＴＲ１から第１の定電流回路１１には−２８Ｖ（または−４８Ｖ）が供給される。
【００３１】
一方、ポートにドアフォンが接続された場合（待機時）、トランジスタＴＲ２はＯＮに設定され、トランジスタＴＲ３はＯＮに設定される。このとき、トランジスタＴＲ１から出力される電源電圧Ｖｏｕｔは、以下の式（１）で示す電圧となる。
【００３２】
ＶＯＵＴ＝−(ＶＺＤ１−３．３)  …（１）
但し、３．３（Ｖ）は、電圧回路１３のトランジスタＴＲ２及びトランジスタＴＲ３に供給される電源電圧であり、ＶＺＤ１はツェナーダイオードＺＤ１のツェナー電圧である。
【００３３】
また、ポートにドアフォンが接続された状態において、起動ボタンが押下されて通話状態になると、トランジスタＴＲ２はＯＮに設定され、トランジスタＴＲ３はＯＦＦに設定される。このとき、トランジスタＴＲ１から出力される電源電圧Ｖｏｕｔは、以下の式（２）で示す電圧となる。
【００３４】
ＶＯＵＴ＝−(ＶＺＤ１＋ＶＺＤ２−３．３)  …（２）
但し、ＶＺＤ２はツェナーダイオードＺＤ２のツェナー電圧である。
【００３５】
状態検出回路２０は、電話機のオン／オフ・フックまたはドアフォンの待機／起動ボタンの押下を検出し、その検出結果を出力するトランジスタＴＲ１１と、ポートに接続された電話機またはドアフォンに応じて電話機のオン／オフ・フックまたはドアフォンの待機／起動ボタンの押下を検出するための検出感度の設定に用いられる、直列に接続された抵抗器Ｒ１−Ｒ３と、ポートに接続された電話機またはドアフォンに応じて電話機のオン／オフ・フックまたはドアフォンの待機／起動ボタンの押下を検出するための検出感度を切り換えるトランジスタＴＲ１２及びＴＲ１３とを備えている。なお、抵抗器Ｒ１−Ｒ３は、それぞれの抵抗値を、直列あるいは並列に接続された複数の抵抗器で実現してもよい。
【００３６】
このような構成において、ポートに電話機が接続されている場合、トランジスタＴＲ１２及びＴＲ１３はそれぞれＯＮに設定される。このとき、トランジスタＴＲ１１のベースには、状態検出回路２０に供給されている電源電圧（３．３Ｖ）とポート間の電位差が、直列に接続された抵抗器Ｒ１と抵抗器Ｒ２とにより分圧されて印加される。すなわち、電話機のオン／オフ・フックを検出するための検出感度は、抵抗器Ｒ１とＲ２の比によって設定される。
【００３７】
一方、ポートにドアフォンが接続されている場合、トランジスタＴＲ１２及びＴＲ１３はそれぞれＯＦＦに設定される。このとき、トランジスタＴＲ１１のベースには、状態検出回路２０に供給されている電源電圧（３．３Ｖ）とポート間の電位差が、直列に接続された抵抗器Ｒ１と、抵抗器Ｒ２及びＲ３とにより分圧されて印加される。すなわち、ドアフォンの待機／起動ボタンの押下を検出するための検出感度は、抵抗器Ｒ１と、抵抗器Ｒ２＋Ｒ３との比によって設定される。トランジスタＴＲ１１から出力される検出結果は、主装置の全体動作を制御するＣＰＵ等を含む制御部に供給される。制御部は、状態検出回路２０で検出された電話機やドアフォンの状態に応じて送受話回路３０等の動作を制御する。
【００３８】
なお、給電回路１０が備えるトランジスタＴＲ１及びＴＲ２のＯＮ／ＯＦＦ、並びに状態検出回路２０が備えるトランジスタＴＲ１２及びＴＲ１３のＯＮ／ＯＦＦは、例えば主装置の筐体にスイッチ（不図示）を設け、該スイッチのＯＮ／ＯＦＦと簡単な論理回路（不図示）の組み合わせにより制御することが可能である。該スイッチは、ポートに電話機を接続したのかドアフォンを接続したのかに応じて、例えばキーテレフォンシステムのユーザが切り換えればよい。主装置は、該スイッチの設定により、ポートに接続された機器が電話機であるかドアフォンであるかを判別し、接続された機器に対応する所要のソフトウェア等も併せて切り換えればよい。
【００３９】
なお、図１では、給電回路１０のトランジスタＴＲ１及びＴＲ２、並びに状態検出回路２０が備えるトランジスタＴＲ１１−ＴＲ１３に、３．３Ｖの電源電圧を供給する構成例を示しているが、これらのトランジスタに供給する電圧は３．３Ｖに限定されるものではなく、各トランジスタが正常に動作する範囲内であれば何Ｖであってもよい。
【００４０】
また、図１に示すインタフェース回路では、トランジスタＴＲ１−ＴＲ３、ＴＲ１２にＰＮＰ型のトランジスタを用い、トランジスタＴＲ１１、ＴＲ１３にＮＰＮ型のトランジスタを用いる例を示しているが、トランジスタＴＲ１−ＴＲ３、ＴＲ１２にＮＰＮ型のトランジスタを用い、トランジスタＴＲ１１、ＴＲ１３にＰＮＰ型のトランジスタを用いる構成も可能である。
【００４１】
さらに、図１では、インタフェース回路の各トランジスタにバイポーラトランジスタを用いる構成例を示しているが、これらのトランジスタには電界効果型トランジスタを用いてもよい。
【００４２】
本実施形態のインタフェース回路によれば、簡単な回路構成で、同一ポートに電話機またはドアフォンを接続することが可能であるため、主装置にドアフォン専用の接続用ポートを設ける必要がない。また、ドアフォンの接続を可能にするための専用ユニットも不要であるため、ドアフォンを含むキーテレフォンシステムを容易に構築することが可能であり、主装置に専用ユニットを取り付けるための空きスペースやコネクタ等を設ける必要がない。そのため、キーテレフォンシステムが備える主装置の小型化を実現できる。
【００４３】
一般的に、電話機が接続されるポートは、キーテレフォンシステムが備える主装置の多くに実装されており、また、電話機やドアフォンに応じた給電電圧や電話機のオン／オフ・フックまたはドアフォンの待機／起動ボタンの押下の検出感度の切り換えを筐体等に設けたスイッチで行えば、これらの切り換えをソフトウェアで制御する必要がない。そのため、本実施形態のインタフェース回路は、キーテレフォンシステムが備える主装置に容易に適用することができる。
【符号の説明】
【００４４】
１０    給電回路
１１    第１の定電流回路
１２    第２の定電流回路
１３    電圧回路
２０    状態検出回路
３０    送受話回路
ＴＲ１−ＴＲ３、ＴＲ１１−ＴＲ１３    トランジスタ
ＺＤ１、ＺＤ２    ツェナーダイオード
【図１】
2012147389.tif 000003
【手続補正書】
【提出日】平成23年11月9日(2011.11.9)
【手続補正１】
【補正対象書類名】特許請求の範囲
【補正対象項目名】全文
【補正方法】変更
【補正の内容】
【特許請求の範囲】
【請求項１】
電話機またはドアフォンが接続可能な、電話交換機能を有する主装置のポートに対応して備えるインタフェース回路であって、
前記ポートに接続された電話機またはドアフォンに対応して所要の電源電圧を供給する給電回路と、
前記ポートに前記電話機が接続された場合、該電話機の入力インピーダンスの値から該電話機がオン・フック状態であるかオフ・フック状態であるかを検出し、前記ポートに前記ドアフォンが接続された場合、該ドアフォンの入力インピーダンスの値から該ドアフォンが待機状態であるか起動ボタンの押下状態であるかを検出する状態検出回路と、
を有し、
前記給電回路は、
前記電話機または前記ドアフォンに対応した所要の電源電圧を生成する電圧回路と、
前記ポートの２つの線路のうちの一方の線路と前記電圧回路との間に接続された第１の定電流回路と、
前記ポートの２つの線路のうちの他方の線路と接地電位との間に接続された第２の定電流回路と、
を有し、
前記電圧回路は、
前記電話機に対応した負電圧を出力する第１の電圧源と前記第１の定電流回路との間に挿入され、制御端子に前記第１の電圧源の出力電圧が供給される第１のトランジスタと、
前記第１の電圧源よりも高い正電圧を出力する第２の電圧源と前記第１のトランジスタの制御端子との間に直列に挿入された第２のトランジスタ、第１のツェナーダイオード及び第２のツェナーダイオードと、
前記第１のツェナーダイオード及び前記第２のツェナーダイオードの接続ノードと前記第２の電圧源との間に挿入された第３のトランジスタと、
を有し、
前記ポートに前記電話機が接続されているとき、前記第２のトランジスタ及び前記第３のトランジスタがそれぞれオフされ、
前記ポートに前記ドアフォンが接続され、該ドアフォンが待機状態であるとき、前記第２のトランジスタ及び前記第３のトランジスタがそれぞれオンされ、
前記ポートに前記ドアフォンが接続され、前記起動ボタンが押下状態であるとき、前記第２のトランジスタがオンされ、前記第３のトランジスタがオフされるインタフェース回路。
【請求項２】
前記状態検出回路は、
前記電話機のオン・フックまたはオフ・フック、もしくは前記ドアフォンの待機または起動ボタンの押下を検出し、その検出結果を出力する第４のトランジスタと、
前記ポートに接続された電話機またはドアフォンに応じて、前記電話機のオン・フックまたはオフ・フック、もしくは前記ドアフォンの待機または起動ボタンの押下を検出するための検出感度の設定に用いられる、前記ポートの２つの線路のうちの他方の線路と前記第２の電圧源との間に直列に挿入され、接続ノードが前記第４のトランジスタの制御端子と接続された複数の抵抗器と、
前記第２の電圧源と前記第４のトランジスタの制御端子との間に挿入された抵抗器の両端を短絡または開放する、前記ポートに前記電話機が接続されているときにそれぞれオンされ、前記ポートに前記ドアフォンが接続されているときにそれぞれオフされる第５のトランジスタ及び第６のトランジスタと、
を有する請求項１記載のインタフェース回路。
【請求項３】
キーテレフォンシステムで用いられる、電話交換機能を備えた主装置であって、
請求項１または２記載のインタフェース回路を備え、電話機またはドアフォンが接続されるポートと、
前記電話機による外線通話や内線通話、または前記ドアフォンによる電話機との通話を可能にする送受話回路と、
を有する主装置。
【手続補正２】
【補正対象書類名】明細書
【補正対象項目名】００１０
【補正方法】変更
【補正の内容】
【００１０】
上記目的を達成するため本発明のインタフェース回路は、電話機またはドアフォンが接続可能な、電話交換機能を有する主装置のポートに対応して備えるインタフェース回路であって、
前記ポートに接続された電話機またはドアフォンに対応して所要の電源電圧を供給する給電回路と、
前記ポートに前記電話機が接続された場合、該電話機の入力インピーダンスの値から該電話機がオン・フック状態であるかオフ・フック状態であるかを検出し、前記ポートに前記ドアフォンが接続された場合、該ドアフォンの入力インピーダンスの値から該ドアフォンが待機状態であるか起動ボタンの押下状態であるかを検出する状態検出回路と、
を有し、
前記給電回路は、
前記電話機または前記ドアフォンに対応した所要の電源電圧を生成する電圧回路と、
前記ポートの２つの線路のうちの一方の線路と前記電圧回路との間に接続された第１の定電流回路と、
前記ポートの２つの線路のうちの他方の線路と接地電位との間に接続された第２の定電流回路と、
を有し、
前記電圧回路は、
前記電話機に対応した負電圧を出力する第１の電圧源と前記第１の定電流回路との間に挿入され、制御端子に前記第１の電圧源の出力電圧が供給される第１のトランジスタと、
前記第１の電圧源よりも高い正電圧を出力する第２の電圧源と前記第１のトランジスタの制御端子との間に直列に挿入された第２のトランジスタ、第１のツェナーダイオード及び第２のツェナーダイオードと、
前記第１のツェナーダイオード及び前記第２のツェナーダイオードの接続ノードと前記第２の電圧源との間に挿入された第３のトランジスタと、
を有し、
前記ポートに前記電話機が接続されているとき、前記第２のトランジスタ及び前記第３のトランジスタがそれぞれオフされ、
前記ポートに前記ドアフォンが接続され、該ドアフォンが待機状態であるとき、前記第２のトランジスタ及び前記第３のトランジスタがそれぞれオンされ、
前記ポートに前記ドアフォンが接続され、前記起動ボタンが押下状態であるとき、前記第２のトランジスタがオンされ、前記第３のトランジスタがオフされる構成である。